(57)【要約】【課題】筆記性能、及び保管性能を向上させた繰り返し記載可能なシートを提供する。【解決手段】片面に粘着剤層を形成したフィルムと、台紙とを少なくとも具備し、フィルムの粘着剤層と台紙とが対向するように積層して構成し、フィルムの他方の面の少なくとも一部にはインキを印刷してインキ層を形成し、粘着剤層は粘着力を０．５〜７０ｍＮ／２５ｍｍとし、また、台紙は少なくともフィルムのインキ層に相当する部分の平滑度を２５秒以上とする。【選択図】図１
2010042618.tif 000002
【特許請求の範囲】
【請求項１】
片面に粘着剤が塗布されて粘着剤層が形成されたフィルムと、該粘着剤層を被覆する剥離紙とを少なくとも具備して成り、
前記フィルムの他方の面の少なくとも一部にはインキが印刷されてインキ層が形成されており、
また、前記粘着剤層の粘着力は０．５〜７０ｍＮ／２５ｍｍであることを特徴とする繰り返し記載可能なシート。
【請求項２】
片面に粘着剤が塗布されて粘着剤層が形成されたフィルムと、台紙とを少なくとも具備し、前記フィルムの前記粘着剤層と前記台紙とが対向するように積層して構成され、
前記フィルムの他方の面の少なくとも一部にはインキが印刷されてインキ層が形成されており、
前記粘着剤層は粘着力が０．５〜７０ｍＮ／２５ｍｍであり、
また、前記台紙は、少なくとも前記フィルムの前記インキ層に相当する部分の平滑度が２５秒以上であることを特徴とする繰り返し記載可能なシート。
【請求項３】
前記フィルムと前記台紙との間に、前記粘着剤層を被覆する剥離紙が設けられていることを特徴とする請求項２に記載の繰り返し記載可能なシート。
【請求項４】
前記インキ層と、前記台紙の少なくとも前記インキ層に相当する部分の色差ΔＥが１０．０以上であることを特徴とする請求項２又は請求項３に記載の繰り返し記載可能なシート。
【発明の詳細な説明】
【技術分野】
【０００１】
本発明は、幼児等の文字、絵書き等の練習及び絵描き遊び、教材、その他、各種の用途に使用可能な繰り返し記載可能なシートに関する。
【背景技術】
【０００２】
従来、この種の商品として、着色が施された台紙上に、ワックス（蝋）を塗布し、その上面にプラスチックフィルムを剥離自在に貼着し、該プラスチックフィルムの上面を棒状筆記具等で押圧して文字、絵等を自由に書くことができ、その後、前記プラスチックフィルムを剥離することにより前記文字、絵等を消去でき、前記文字、絵等の表示及びその消去を繰り返すことができる商品が提供されている。
【０００３】
このような従来の商品は、筆記時に比較的大きな押圧力を必要とし、該押圧力により前記ワックス塗布面に筆跡に伴う凹凸が生じて残り、さらに埃が付き易く、また、筆記後、放置すると比較的短時間で消去するものであった。
【０００４】
そこで、例えば特許文献１に、着色台紙の上面に粘着弾性を有するシリコーン層を形成し、このシリコーン層の上面にマットフィルムを剥離自在に貼着して形成することにより、気温等の影響を受けることがなく、軽いタッチで文字、絵等を書くことができ、筆跡が残ることがなく、埃が付きにくく、筆記後、文字、絵等が長時間維持され、さらにフィルムの剥離音が生ぜず、スムーズな剥離が行われる、耐久性及び実用性に富んだ教習遊具が提案されている。
【０００５】
しかしながら、このような教習遊具は、通常、着色台紙とフィルムとが重なった状態で保管（上紙が保護カバーの役目を果たす）されるが、特に夏季などの高温環境下において、着色台紙とフィルムとが長期間重なった状態で保管されると、着色台紙とフィルムとがくっついてしまい（ブロッキングを起こしてしまい）、製品として使用することが不可能となる。これを防止するために、シリコーン層の粘着性を抑えることが行われているが、これにより、文字や絵等を書く際に、やはり比較的大きな押圧力が必要であったため、特に幼児等の力が弱い児童の知育用途においては、筆記具として、プラスチックのような硬度が高い棒状のものが必要であり、安全性の観点からも問題があった。また、粘着性を抑えてあるといえども、台紙上に粘着弾性を有するシリコーン層が設けられているため、ブロッキングの問題は依然としてあった。
【０００６】
【特許文献１】特開２００１−１４２３８７号公報
【発明の開示】
【発明が解決しようとする課題】
【０００７】
本発明は上述したような実情に鑑みてなされたものであり、その目的とするところは、筆記性能、及び保管性能を向上させた繰り返し記載可能なシートを提供することにある。
【課題を解決するための手段】
【０００８】
本発明の上記目的は、片面に粘着剤が塗布されて粘着剤層が形成されたフィルムと、該粘着剤層を被覆する剥離紙とを少なくとも具備して成り、前記フィルムの他方の面の少なくとも一部にはインキが印刷されてインキ層が形成されており、また、前記粘着剤層の粘着力は０．５〜７０ｍＮ／２５ｍｍであることを特徴とする繰り返し記載可能なシートを提供することによって達成される。
【０００９】
また、本発明の上記目的は、片面に粘着剤が塗布されて粘着剤層が形成されたフィルムと、台紙とを少なくとも具備し、前記フィルムの前記粘着剤層と前記台紙とが対向するように積層して構成され、前記フィルムの他方の面の少なくとも一部にはインキが印刷されてインキ層が形成されており、前記粘着剤層は粘着力が０．５〜７０ｍＮ／２５ｍｍであり、また、前記台紙は、少なくとも前記フィルムの前記インキ層に相当する部分の平滑度が２５秒以上であることを特徴とする繰り返し記載可能なシートを提供することによって達成される。
【００１０】
また、本発明の上記目的は、前記フィルムと前記台紙との間に、前記粘着剤層を被覆する剥離紙が設けられていることを特徴とする繰り返し記載可能なシートを提供することによって、効果的に達成される。
【００１１】
さらにまた、本発明の上記目的は、前記インキ層と、前記台紙の少なくとも前記インキ層に相当する部分の色差ΔＥが１０．０以上であることを特徴とする繰り返し記載可能なシートを提供することによって、より効果的に達成される。
【発明の効果】
【００１２】
本発明に係る繰り返し記載可能なシートによれば、片面に粘着剤が塗布されて粘着剤層が形成されたフィルムと、この粘着剤層を被覆する剥離紙とを少なくとも具備し、またフィルムの他方の面の少なくとも一部にはインキを印刷してインキ層を形成し、さらにまた、粘着剤層の粘着力は０．５〜７０ｍＮ／２５ｍｍとしたので、筆記性能及び保管性能を向上させることができるようになる。
【００１３】
また、本発明に係る繰り返し記載可能なシートによれば、片面に粘着剤が塗布されて粘着剤層が形成されたフィルムと、台紙とを少なくとも具備し、フィルムの粘着剤層と台紙とが対向するように積層して構成し、フィルムの他方の面の少なくとも一部にはインキを印刷してインキ層を形成し、粘着剤層は粘着力を０．５〜７０ｍＮ／２５ｍｍとし、また、台紙は、少なくともフィルムのインキ層に相当する部分の平滑度を２５秒以上としたので、筆記性能及び保管性能を向上させることができるようになる。
【００１４】
さらにまた、フィルムと台紙との間に、粘着剤層を被覆する剥離紙を設けることにより、保管性能をより向上させることができる。
【発明を実施するための最良の形態】
【００１５】
以下、本発明に係る繰り返し記載可能なシートについて、図面を参照しながら詳細に説明する。なお、本発明は必ずしも以下の実施形態に限定されるものではなく、特許請求の範囲を逸脱しない範囲内において、その構成を適宜変更できることはいうまでもない。
【００１６】
図１は、本発明に係る繰り返し記載可能なシート（以下、「本シート」と言う。）１の斜視図であり、図２は図１のＩ−Ｉ断面図である。すなわち、図示するように、本シート１は、片面に粘着剤を塗布して形成した粘着剤層２を有するフィルム３と、台紙４とを少なくとも具備し、台紙４の上面にフィルム３の粘着剤層２が対向するように積層されて形成されている。また、フィルム３の他方の面の少なくとも一部にはインキが印刷等されてインキ層５が形成されている。
【００１７】
フィルム３としては、ポリエチレン系、ポリプロピレン系、ポリブテン系、メタクリル系、熱可塑性ポリエステル系、ポリビニルアルコール系、フッ素系等の熱可塑性樹脂単体及び各種共重合体樹脂から成る、エチレン−ビニルアルコール共重合体フィルム、ポリフッ化ビニル、ポリフッ化ビニリデン、エチレンテトラフロロエチレン等のフッ素系樹脂フィルム、ウレタン系又はアクリル系コート剤でコートしたオレフィン系フィルム等、公知の種々のものを用いることができる。
【００１８】
また、本シート１に用いられるフィルム３は、その厚みが５００μｍ以下であることが好ましい。フィルム３の厚みが５００μｍを超えると、筆記時に必要な押圧力が大きくなり、筆記性能が低下する場合がある。
【００１９】
フィルム３に形成される粘着剤層２は、ＪＩＳ−Ｚ０２３７に準拠して測定した粘着力が０．５〜７０ｍＮ／２５ｍｍ、好ましくは１０〜６０ｍＮ／２５ｍｍであることが好ましい。これにより、本シート１の筆記性能及び保管性能を向上させることができる。すなわち、従来のものよりも粘着性をあげることが可能となり、軽い筆圧でも文字等を記載することができるようになるため、例えばプラスチック製の棒状のものを用いることなく、厚紙等で作成した筆記するもの６（筆記具状にかたどったもの）等の安全なもので記載することが可能である。なお、本願明細書でいう「保管性能の向上」とは、経時で、フィルム３の粘着剤層２が、台紙４に貼り付くことが少なくなる乃至なくなることをいう。
【００２０】
粘着力が０．５ｍＮ／２５ｍｍ未満であると、ブロッキングの問題が発生することがなく、保管性能を向上させることはできるが、筆記時の押圧力を低くすることができず、棒状の筆記具が必要となり、筆記性能を向上させることができない。一方、粘着力が７０ｍＮ／２５ｍｍを超えると、筆記性能は向上させることができるが、ブロッキングの問題が発生する可能性があり、保管性能が低下する。
【００２１】
なお、粘着力は、粘着性の低い粘着剤を用いたり、粘着剤層２の表面に糊抑えをすることにより、調整することができる。ここで、糊抑えの方法は、ニスなどを粘着剤層２の表面の一部分、あるいは粘着剤層２の全面に印刷することでできる。
【００２２】
また、フィルム３の片面に塗布される粘着剤としては、アクリル系、ゴム系、ビニルエーテル系、シリコン系、ウレタン樹脂系等の公知の種々の粘着剤を用いることができる。これらの中でも、特にアクリル系、ウレタン樹脂系の粘着剤であると、再剥離性及び再接着性に優れるので、好ましい。
【００２３】
さらにまた、フィルム３の他方の面、すなわちフィルム３の粘着剤層２が設けられた面とは反対の面に塗布され、インキ層５を形成するインキとしては、油性インキ、紫外線硬化型インキ等の公知の種々のものを用いることができる。しかしながら、フィルム３に塗布されるインキは、文字の発現性を考慮すると、濃色ではなく、白色等の淡色であるものが好ましい。
【００２４】
また、台紙４の少なくともフィルム３のインキ層５に相当する部分７は、ＪＩＳ−Ｐ８１１９に基づいて測定した平滑度が２５秒以上、好ましくは５０秒以上である。台紙４の平滑度が２５秒以上となることで、フィルム３との密着性が高くなる。これにより、筆記性能を向上させ、さらには文字等の発現性を向上させることができる。なお、平滑度が２５秒未満であると、文字等を記載するときの押圧力を小さくすることができず、本シート１の筆記性能を向上させることができず、筆記の際に硬度の高い棒状のものが必要となる場合がある。
【００２５】
台紙４に平滑度を付与する方法としては、台紙４自体の平滑度をあげること以外にも、このほか、ラミネート加工や、インキを塗布する等、公知の種々の方法で平滑度を上げることも可能である。
【００２６】
なお、台紙４としては、ボール紙、板紙等、公知の種々の紙を用いることができる。このように台紙４として種々のボール紙等を用いることができるので、本シート１の使用目的等に応じて、種々の印刷や、箔押し等の加飾を施すことができ、本シート１のデザイン性を向上させることもできる。このように台紙４として印刷が可能な紙を用いると、例えば、台紙４のフィルム３と対向する面の、フィルム３に設けられたインキ層５に相当する部分７に文字を印刷し、フィルム３上から台紙４に印刷された文字等をなぞることで、児童知育用途にも用いることができる。なお、このような印刷は、台紙４ではなく、フィルム３のインキ層５の上面にも行うこともできる。
【００２７】
また、インキ層５と、このインキ層５に相当する台紙４の部分７の、ＪＩＳ−Ｐ８１５０に基づいて測定した色差ΔＥが１０．０以上、好ましくは１５．０〜２５．０となるようにインキ層５と、台紙４のインキ層５に相当する部分７の色調を調整することが好ましい。この場合において、文字の発現性の観点から、インキ層５には淡色のインキを用い、台紙４の少なくともインキ層５に相当する部分７は濃色に着色、印刷等されることが好ましい。なお、ΔＥが１０．０未満であると、フィルム３のインキ層５の上に筆記した文字等が視認可能に表れてこない、あるいは文字等が視認可能に表れても、筆記した文字等が見えにくい、すなわち文字の発現性が低下する。
【００２８】
また、フィルム３の一辺（一端）を台紙４に固定することが好ましい。なお、フィルム３を台紙４に固定する手段としては、フィルム３の一辺に接着剤等を塗布して台紙４に貼着する他、図１に示すように、台紙４に切り込み線８をいれ、フィルム３の角を挟み固定する等、種々の手段を用いることができる。フィルム３の一辺（一端）を台紙４に固定することで、再剥離、再接着した際に、幼児でも簡単に一定の場所にフィルム３を戻すことが容易になり、また、使用後にフィルム３と台紙４の間に剥離紙９を挟んで保管することで、フィルム３又は台紙４の紛失防止にもなる。
【００２９】
このように構成された本シート１は、台紙４上にフィルム３を積層した状態で、フィルム３のインキ層５の上から文字等を書き、その後、フィルム３を台紙４から剥がすことによって、記載した文字等を消すことができる。その後、再度、フィルム３を台紙４の上に積層することにより再度文字等を書くことができる。このように、本シート１は文字等の記載と消去とを繰り返すことができる。
【００３０】
さらに、本シート１の保管時や輸送時等（使用時以外の時）には、図３に示すように、フィルム３と台紙４との間に剥離紙９が設けられることが好ましい。これにより、台紙４とフィルム３に設けられた粘着剤層２とが接することなく、本シート１を保管することができる。従って、夏季などの高温環境で長期間保管等されても、ブロッキングを起こすことがなくなり、本シート１の保管性能をより向上させることができる。
【００３１】
本シート１に用いられる剥離紙９としては、フィルム３の粘着剤層２が形成された部分と接する面に、シリコン系樹脂、アクリル系樹脂、長鎖アルキルポリマー、ポリオレフィン、アルキド樹脂、フッ素化合物等の離型剤が印刷や塗布等された、タック紙、上質紙、クラフト紙、コート紙、グラシン紙、再生紙等の公知の種々のものが使用できる。
【００３２】
次に、本発明の他の実施形態について説明する。図４は、本発明の他の実施形態に係るシートの概略断面図である。図示するように、本シート１´は、片面に粘着剤が塗布されて粘着剤層２が形成されたフィルム３と、剥離紙９とを少なくとも具備して構成されている。すなわち、台紙４が設けられていないことを除くその他の構成は、上述した本発明に係る繰り返し記載可能なシート１と同様である。従って、以下では、シート１と同様の構成には同一の符号を付し、その説明を省略する。
【００３３】
また、前記シート１と同様に、フィルム３の他方の面、すなわちフィルム３の粘着剤層２が設けられた面とは反対の面の少なくとも一部にはインキが印刷等されてインキ層５が形成されており、また、粘着剤層２の粘着力は０．５〜７０ｍＮ／２５ｍｍである。
【００３４】
このように構成の本シート１´は、使用時には剥離紙９が剥がされ、粘着剤層２を有するフィルム３を、例えば冷蔵庫、壁、タイル、机等に貼り付けることにより、文字等を繰り返し記載することができる。なお、フィルム３を貼り付ける対象物は、公知の種々のものに貼り付けることができるが、平滑性の高いものに貼り付けて使用することが好ましい。フィルム３を貼り付ける対象物は、具体的には、ＪＩＳ−Ｐ８１１９に基づいて測定した平滑度が２５秒以上で、且つ、ＪＩＳ−Ｐ８１５０に基づいて測定した、フィルム３のインキ層５と対象物の色差ΔＥが１０．０以上であるものが好ましい。
【００３５】
なお、この際、本シート１´が平滑性の高い面、特に垂直な面に貼り付けられたりした際に、本シート１´がずれたり、落ちたりしないようにフィルム３の周端部は粘着性を強くしておくことが好ましい。その際、フィルム３の周端部の粘着力は、ＪＩＳ−Z０２３７に準拠して測定した粘着力が２０〜７０ｍＮ／２５ｍｍであれば、垂直面に貼り付けても剥がれることはなく、且つ、幼児の力でも再剥離が可能である。
【００３６】
以上、本発明に係る繰り返し記載可能なシートについて詳述したが、本発明は、フィルム３や台紙４の形状を、矩形に限らず、円形や、ハート形、星形等、公知の種々の形状とする等、適宜変更することが可能である。
【実施例】
【００３７】
本発明に係る繰り返し記載可能なシートの効果を確認するため、以下のような各種の試料を作製し、これらの各試料に対する品質を評価する試験を行った。なお、本実施例は、本発明を限定するものではなく、特許請求の範囲を逸脱しない範囲において、適宜その構成を変更することができることはいうまでもない。
【００３８】
本発明に係る１５種類の繰り返し記載可能なシート（これを「実施例１」ないし「実施例１５」とする）を表１に示すような構成で作製し、また、これらの実施例１ないし実施例１５と比較検討するために、２種類のシート（これを「比較例１」及び「比較例２」とする）を、表１に示すような構成で作製した。
【００３９】
【表１】
2010042618.tif 000003
【００４０】
［実施例１］
フィルムとして、東洋紡績株式会社製のポリエステルフィルムＥ５１０７を用い、このフィルムの片面に粘着剤としてウレタン樹脂系の粘着剤を用い、粘着力が７０ｍＮ／２５ｍｍとなるように調整された粘着剤層を形成し、また他方の面に白色のインキを用いて白色のインキ層を形成した。
また、台紙として、表面の平滑度が５０秒であり、紺色である市販のコートボール紙を用いた。
【００４１】
また、実施例２〜１５、及び比較例１〜２を表１に示す条件以外は実施例１と同様に作成し、本発明の評価を行った。なお、ＰＰラミネートとしてＤＩＣ株式会社のプラスカバーＰＰ２０を用い、上質紙としては、大王製紙株式会社製の色上質紙（中厚口ブルー）を用いた。
【００４２】
なお、表１中の「平滑度（秒）」とは、ＪＩＳ−Ｐ８１１９に準拠して測定した値である。
【００４３】
「粘着力（ｍＮ／２５ｍｍ）」とは、フィルムの粘着剤層のＳＵＳ板に対する接着力を、ＪＩＳ−Ｚ０２３７に準じて測定した値である。
【００４４】
「色差（ΔＥ）」とは、フィルムに設けられたインキ層と、このインキ層に相当する部分の台紙の色差であり、分光白色光度計でＬ＊、ａ＊、ｂ＊を測定し、ＪＩＳ−Ｐ８１５０に準じて算出した値である。
【００４５】
これらの全実施例及び比較例についての品質評価、すなわち文字の発現及び経時での貼り付きを評価した結果は、表１に示すとおりであった。なお、この品質評価はＪＩＳ−Ｐ８１１１に準拠して温度２３±２℃、湿度５０±２％の環境条件で行った。
【００４６】
ここで、「文字の発現」とは、フィルムにＡＢＣ、１２３、あいう、伊呂波と書き、鮮明さを目視で評価したもの、すなわち筆記性能を評価したもので、評価基準は下記の通りとした。
◎：すべての種類の文字が鮮明である。
○：文字の一部ににじみがあるが、画数の多い漢字でも読める。
△：画数の多い漢字は読みづらい。
×：文字の認識が出来ない。
【００４７】
また、「経時での貼り付き」とは、フィルムの粘着剤層と台紙とを貼り合せて、２４時間経過した後、台紙からフィルムを剥がす際における貼り付きを官能評価したもの、すなわち保護性能を評価したもので、その評価基準は下記の通りとした。
◎：簡単に剥がせる。
○：剥がすのに軽い抵抗があるが、問題ないレベル。
△：剥がすのに抵抗があり、幼児には剥がしにくいレベル。
×：剥がすことが出来ない、又は剥がすときに台紙が破損する。
【００４８】
表１から、本発明に係る繰り返し記載可能なシートは、保管性能及び筆記性能を両立させることができるということが分かる。
【図面の簡単な説明】
【００４９】
【図１】本発明に係る繰り返し記載可能なシートの使用時を示す斜視図である。
【図２】図１のＩ−Ｉ断面図である。
【図３】使用時以外の状態を示す、本発明に係る繰り返し記載可能なシートの概略断面図である。
【図４】本発明の他の実施形態に係る繰り返し記載可能なシートの概略断面図である。
【符号の説明】
【００５０】
１，１´      本発明に係る繰り返し記載可能なシート
２            粘着剤層
３            フィルム
４            台紙
５            インキ層
８            切り込み線
９            剥離紙
【図１】
2010042618.tif 000004
【図２】
2010042618.tif 000005
【図３】
2010042618.tif 000006
【図４】
2010042618.tif 000007